(57)【特許請求の範囲】
【請求項１】
主に数本の共用のプレキャストコンクリート及び、場所打ちコンクリート造柱体を含み、当該柱体は正方形、円形及び矩形を呈し、当該柱体頭部の大きなサポート部分を形成し、当該柱体上にプレキャストコンクリートワッフルスラブを組合せ、当該各柱体は対応位置において、予め直立に設置し、各実施例のプレキャストコンクリートワッフルスラブを当該各柱体において設置し、続いて、各プレキャストコンクリートワッフルスラブの角を直接接触させ、或いは組合せ部品を用い、当該柱体頭部サポート部分上に設置し、各接合部分にコンクリートを打設し、一体化させ、各種ワッフルスラブ層を構成することを特徴とするプレキャストコンクリートワッフルスラブ層を有するハードウエアー部品製造工場等構造物の構築法。
【請求項２】
前記プレキャストコンクリートワッフルスラブの第一実施例である方形プレキャストコンクリートワッフルスラブは、その各角に切欠部を形成し、上面には円形孔を開設し、下面は格子梁状を呈することを特徴とする請求項１のプレキャストコンクリートワッフルスラブ層を有するハードウエアー部品製造工場等構造物の構築法。
【請求項３】
前記プレキャストコンクリートワッフルスラブの第二実施例である逆Ｔ型プレキャストコンクリート梁補助部品および方形プレキャストコンクリートワッフルスラブよりなるプレキャストコンクリートワッフルスラブは先ず逆Ｔ型プレキャストコンクリート梁補助部品を、前記柱体上に二方向に設置し、その上で、対応する当該方形プレキャストコンクリートワッフルスラブを当該各逆Ｔ型プレキャストコンクリート梁補助部品中に嵌入、設置し、当該逆Ｔ型プレキャストコンクリート梁補助部品には貫通孔を設置し、当該方形プレキャストコンクリートワッフルスラブ上面には円形孔を開設し、下面は格子梁状を呈することを特徴とする請求項１記載のプレキャストコンクリートワッフルスラブ層を有するハードウエアー部品製造工場等構造物の構築法。
【請求項４】
前記プレキャストコンクリートワッフルスラブの第三実施例である複数本よりなる矩形梁状プレキャストコンクリートワッフルスラブは、先ず側辺において錐状凹凸を形成する逆Ｔ型プレキャストコンクリート梁補助部品を、前記柱体上に一方向に設置し、その上で、対応する当該梁状プレキャストコンクリートワッフルスラブの両端を利用し当該逆Ｔ型プレキャストコンクリート梁補助部品の錐状凹凸中に嵌入、設置し、当該梁状プレキャストコンクリートワッフルスラブは、複数の一方向梁を設置することを特徴とする請求項１記載のプレキャストコンクリートワッフルスラブ層を有するハードウエアー部品製造工場等構造物の構築法。
【請求項５】
前記プレキャストコンクリートワッフルスラブの第四実施例である複数本よりなる逆Ｕ型梁状プレキャストコンクリートワッフルスラブは、全体の形状が連続する逆Ｕ型を呈し、側辺において突起ブロックを形成する逆Ｔ型プレキャストコンクリート梁補助部品を、前記柱体上に一方向に設置し、その上で、対応する当該逆Ｕ型プレキャストコンクリートワッフルスラブを利用し当該逆Ｔ型プレキャストコンクリート梁補助部品中に嵌入、設置し、当該逆Ｕ型プレキャストコンクリートワッフルスラブ上面には方形孔を開設し、下面は二本の一方向矩形状梁を設置することを特徴とする請求項１記載のプレキャストコンクリートワッフルスラブ層を有するハードウエアー部品製造工場等構造物の構築法。
【請求項６】
前記プレキャストコンクリートワッフルスラブの第五実施例であるハーフプレキャスト皿型コンクリートワッフルスラブは、その周囲縁は薄板を呈し、当該薄板上には円形孔を設置し、当該円形孔には小型円柱体を嵌入し、当該ハーフプレキャスト皿型コンクリートワッフルスラブの中央部分には複数の方形槽を形成し、当該方形槽中には多柱状連結ブロックを嵌入することを特徴とする請求項１記載のプレキャストコンクリートワッフルスラブ層を有するハードウエアー部品製造工場等構造物の構築法。
【請求項７】
前記第一実施例の方形プレキャストコンクリートワッフルスラブは、方形プレキャストコンクリートワッフルスラブ類似相互体に成型することもでき、当該方形プレキャストコンクリートワッフルスラブ類似相互体は実芯状で、かつ貫通孔を形成することを特徴とする請求項２記載のプレキャストコンクリートワッフルスラブ層を有するハードウエアー部品製造工場等構造物の構築法。
【請求項８】
前記第二実施例の方形プレキャストコンクリートワッフルスラブは、方形プレキャストコンクリートワッフルスラブ類似相互体に成型することもでき、この場合も前記逆Ｔ型プレキャストコンクリート梁補助部品は変わらず、当該方形プレキャストコンクリートワッフルスラブ類似相互体は実芯状で、かつ貫通孔を形成することを特徴とする請求項３記載のプレキャストコンクリートワッフルスラブ層を有するハードウエアー部品製造工場等構造物の構築法。
【請求項９】
前記第五実施例のハーフプレキャスト皿型コンクリートワッフルスラブは、ハーフプレキャスト皿型コンクリートワッフルスラブ類似相互体に成型することもでき、この場合には、元々中央部分にあった複数の円形孔を、一列に並んだ貫通孔とし、同様に前記小型円柱体を嵌入し、これにより、ハーフプレキャスト皿型コンクリートワッフルスラブの施工を実施することを特徴とする請求項６記載のプレキャストコンクリートワッフルスラブ層を有するハードウエアー部品製造工場等構造物の構築法。
【発明の詳細な説明】
【０００１】
【発明の属する技術分野】
本発明は一種のプレキャストコンクリートワッフルスラブ構造に関するものである。特に一種の構造の安全、防火及び耐震性能、輸送の利便性、迅速な施工、及び美観を達成するプレキャストコンクリートワッフルスラブ層を有するハードウエアー部品製造工場等構造物の構築法に係るものである。
【０００２】
【従来の技術】
社会構造の急速な変遷に伴い、多くの作業方式において伝統的な考え方は遺棄されつつある。例えば、建築施工法では既に、建築設計の企画時、出来る限り標準化されたプレキャストコンクリート造製品を採用、或いは有効な組合せ工法を運用するまでに至っている。なぜなら、こうすることにより、現場施工の安全、環境の衛生、工期の短縮、技術人員及び材料の同時調達等、多くの問題を改善することが可能であるからである。
しかし、すべての建築、或いは土木作業工程がプレキャストコンクリート工法の採用に適している訳ではない。ひとえに構造の安全、建築コスト、施工の可能性、輸送の利便性等に対するニーズを満たすことができるか否かによるのである。一般の建築設計技術者、或いは建築施工技術者が状況に応じて採用する場所打ち現場コンクリート工法、及びプレキャストコンクリート工法を組み合わせた混合工法は、多くの制約条件を克服する良好な方法である。即ち、多くの建築工事において、プレキャストコンクリート工法はなくてはならない重要な工法の一つである。
【０００３】
ここ数年、ＩＴ技術が経済の牽引役となっており、それに伴いＩＴ技術の核心である「集積回路等ハードウエアーを構成する」部品の需要は、右肩上がりに直線を描いて上昇している。このような状況であるため、ハードウエアー部品製造工場への投資と工場建設において、欠くべからざる条件は「時間」、とも言えるものである。つまり、部品製造工場の建設原則は、構造、工事の安全等が建築法規規定に合致することはもちろんのこと、完成予定、即ち工期は、利益確保の最良時期を掌握できるか否かの重要な要素となっている。
一般に当該ハードウエアー部品製造工場は機器、加工機等の配備が必要であるため、当該配備に用いるワッフルスラブ層を設置する。当該ワッフルスラブ層は支柱により床を上げたスラブ層で、従来のハードウエアー部品製造工場のスラブ層施工においては、先ず現場において柱体を施工し、次に柱体の完成後、型枠を組み立て、鉄筋を配置する。続いて、コンクリートを打設しスラブ層を完成させるが、この工法は施工期間が長く、しかも現場の他の施工との間で工程進行上の衝突を生み出す。
【０００４】
【発明が解決しようとする課題】
上記公知施工法の欠点を解決するため、本発明はハードウエアー部品製造工場のプレキャストコンクリートワッフルスラブ構造の提供を課題とする。
それは、ハードウエアー部品製造工場において機器、加工機等を設置するワッフルスラブ層全体を、プレキャストコンクリート工法により製造、構造の組み立てを行うもので、数本が対応し直立する柱体に、プレキャストコンクリートワッフルスラブ層を組合せ構成する。当該構造は各種機具設置のニーズに適合する他、施工期間を短縮することができ、かつハードウエアー部品製造工場建設における現場施工工数を大幅に減少させることができる。こうして、構造の安全、防火及び耐震性能、輸送の利便性、迅速な施工、及び美観を達成する。
【０００５】
【課題を解決するための手段】
上記課題を解決するため、本発明は下記のハードウエアー部品製造工場プレキャストコンクリートワッフルスラブ構造を提供する。
それは主に、数本の共用のプレキャストコンクリート及び、場所打ちコンクリート造柱体を含む。
当該柱体は正方形、円形及び矩形を呈し、当該柱体頭部の大きなサポート部分を形成する。これに、数種の異なる実施例、及び類似相互体であるプレキャストコンクリートワッフルスラブを組合せる。
その組合せ方式は、先ず当該柱体を対応位置において、予め直立、設置させ、各実施例のプレキャストコンクリートワッフルスラブを当該柱体において設置する。続いて、各プレキャストコンクリートワッフルスラブの角を直接接触させ、或いは組合せ部品を用い、当該柱体サポート部分上に設置し、ハードウエアー部品製造工場プレキャストコンクリートワッフルスラブ層を構成する。
【０００６】
【発明の実施の形態】
図が示すように、本発明は主に数本の共用のプレキャストコンクリート及び、場所打ちコンクリート造柱体１を含む。当該柱体の形状は正方形、円形及び矩形を呈し、当該柱体頭部の大きなサポート部分１１を形成する。これに、数種の異なる実施例、及び類似相互体であるプレキャストコンクリートワッフルスラブ２、３、４、５、６、７、８、９を組合せ、ハードウエアー部品製造工場等構造物のプレキャストコンクリートワッフルスラブを構成する。
当該柱体１は対応位置において、予め直立、設置し、各実施例のプレキャストコンクリートワッフルスラブ２、３、４、５、６、７、８、９を当該各柱体１において設置する。続いて、各プレキャストコンクリートワッフルスラブ２、３、４、５、６、７、８、９の角を直接接触させ、或いは組合せ部品を用い、当該各柱体１サポート部分１１上に設置し、ハードウエアー部品製造工場等構造物のプレキャストコンクリートワッフルスラブ層を構成する。
【０００７】
図が示すように本発明第一、二、三、四実施例のワッフルスラブ、及び第一、二実施例のワッフルスラブ類似相互体はすべてフルプレキャストコンクリート造に属する。即ち、当該プレキャストコンクリートワッフルスラブ２、３、４、５、７、８、は予め全体をプレキャストコンクリートに成型し、現場に輸送した時には、直接当該各柱体１上に設置、或いは組み立てを経て当該各柱体１上に設置するだけで良く、接合部以外は、現場において別に鉄筋を設置し、コンクリートを打設する作業を必要としない。
また、本発明第五実施例のワッフルスラブ、及び第九実施例のワッフルスラブ類似相互体はハーフプレキャストコンクリート造に属する。即ち、当該プレキャストコンクリートワッフルスラブ６、９は予めハーフプレキャストコンクリートに成型し、当該プレキャストコンクリートワッフルスラブ６、９上に小型円柱体６３、及び（或いは）多柱状連結ブロック６５を融合し、現場に輸送した時には、さらに鉄筋を配置し、コンクリートを打設し成型作業を完成するものである。
【０００８】
図１、２、３、４が示すように、本発明第一実施例の方形プレキャストコンクリートワッフルスラブ２は、その各角に切欠部２１を形成し、上面には円形孔２２を開設する。下面は貫通格子状２３を呈し、十分な強度を具えた中空格子である当該貫通格子状２３により重量、及び材料を節約することができる。当該プレキャストコンクリートワッフルスラブ２を各柱体１間に設置することにより、安定した構造で安全性を具えたハードウエアー部品製造工場等構造物のプレキャストコンクリートワッフルスラブ層を構成する。
【０００９】
図５、６、７、８が示すように、本発明第二実施例の方形プレキャストコンクリートワッフルスラブ３は、先ず逆Ｔ型プレキャストコンクリート梁補助部品３１を、当該各柱体１上に二方向に設置し、その上で、対応する当該方形プレキャストコンクリートワッフルスラブ３を各逆Ｔ型プレキャストコンクリート梁補助部品３１中に嵌入し、設置する。当該逆Ｔ型プレキャストコンクリート梁補助部品３１上には貫通孔３２を設置し、上面には円形孔３３を開設する。下面には格子状強化梁３４を設置する。
【００１０】
図９、１０、１１、１２が示すように、本発明第三実施例の複数本よりなる矩形梁状プレキャストコンクリートワッフルスラブ４は、先ず側辺において錐状凹凸を形成する逆Ｔ型プレキャストコンクリート梁補助部品４１を、当該各柱体１上に一方向に設置し、その上で、対応する当該矩形梁状プレキャストコンクリートワッフルスラブ４をその両端を利用し各側辺において錐状凹凸を形成する逆Ｔ型プレキャストコンクリート梁補助部品４１中に嵌入し、設置する。当該梁状プレキャストコンクリートワッフルスラブは、複数の一方向梁構造をなす。
【００１１】
図１３、１４、１５、１６が示すように、本発明第四実施例の逆Ｕ型梁状プレキャストコンクリートワッフルスラブ５は、全体の形状が逆Ｕ型を呈し、複数個並べてワッフルスラブを形成する。また、逆Ｔ型プレキャストコンクリート梁補助部品５１は側辺において突起ブロック５２を形成する。先ず逆Ｔ型プレキャストコンクリート梁補助部品５１を、当該各柱体１上に一方向に設置し、その上で、対応する当該逆Ｕ型梁状プレキャストコンクリートワッフルスラブ５を両端を利用し各逆Ｔ型プレキャストコンクリート梁補助部品５１の突起ブロック５２中に嵌入し、設置する。当該逆Ｕ型梁状プレキャストコンクリートワッフルスラブ５上面には方形孔５３を開設し、下面は二本の一方向矩形状梁５４を設置する。
【００１２】
図１７、１８、１９、２０が示すように、本発明第五実施例のハーフプレキャスト皿型コンクリートワッフルスラブ６は、その上面周囲縁は薄板６１を呈し、該薄板６１上には円形孔６２を設置する。該円形孔６２には小型円柱体６３（軽量プラスチック製の補助円柱）を嵌入し、当該ハーフプレキャスト皿型コンクリートワッフルスラブ６と結合し一体とする。当該ハーフプレキャスト皿型コンクリートワッフルスラブ６の中央部分には方形槽６４を形成し、当該方形槽６４中には多柱状連結ブロック６５を嵌入し、当該ハーフプレキャスト皿型コンクリートワッフルスラブ６と結合し一体化する。
本ハーフプレキャスト皿型コンクリートワッフルスラブ造式実施例は、成型後は図１９が示す形状となり、現場に輸送後、当該各柱体１に固定後、コンクリートを打設し、図３が示すような第一実施例のフルプレキャストコンクリートワッフルスラブ２を成型する。
当該ハーフプレキャスト皿型コンクリートワッフルスラブの特性は、強度が十分で、かつフルプレキャストコンクリートワッフルスラブに比較し軽量である点である。そのため、運送、及び施工共に、フルプレキャストコンクリートワッフルスラブに比較し優れ、かつ当該ハーフプレキャスト皿型コンクリートワッフルスラブ間における鉄筋の接続作業は、フルプレキャストコンクリートワッフルスラブより一層容易である。しかし、その欠点は現場において、別にコンクリート打設等の作業を必要とする点である。
【００１３】
次に図２１、２２、２３、２４が示すように、本発明第一実施例の方形プレキャストコンクリートワッフルスラブ２は、方形プレキャストコンクリートワッフルスラブ類似相互体７に成型することもできる。当該方形プレキャストコンクリートワッフルスラブ類似相互体７は実芯状で、かつ上には貫通孔７１を形成する。
さらに次に図２５、２６、２７、２８が示すように、本発明第二実施例の逆Ｔ型プレキャストコンクリート梁補助部品および方形プレキャストコンクリートワッフルスラブよりなるプレキャストコンクリートワッフルスラブの方形プレキャストコンクリートワッフルスラブ３は、方形プレキャストコンクリートワッフルスラブ類似相互体８に成型することもできる。この場合も逆Ｔ型プレキャストコンクリート梁補助部品３１は変わらず、当該方形プレキャストコンクリートワッフルスラブ類似相互体８は実芯状で、かつ上には貫通孔８１を形成する。
また、図、２９、３０、３１、３２が示すように、本発明第五実施例のハーフプレキャスト皿型コンクリートワッフルスラブ６は、ハーフプレキャスト皿型コンクリートワッフルスラブ類似相互体９に成型することもできる。この場合には、一列に並んだ貫通孔９１とし、同様に小型円柱体６３を嵌入することができる。これにより、その効果は第五実施例のワッフルスラブ６構造と同様となり、しかも強度は十分でありながら、軽量であると言う長所を具える。加えて、ワッフルスラブ間の接合作業は、フルプレキャストコンクリートワッフルスラブより一層容易である。
【００１４】
【発明の効果】
本発明はハードウエアー部品製造工場において機器、加工機等を設置するワッフルスラブ層全体を、プレキャストコンクリート工法により製造、構造の組み立てを行うものである。当該構造は十分な強度を具えるため、各種機具設置のニーズに適合する構造の安全性を達成することができる。
さらに、現場における鉄筋配置、コンクリート打設等の作業を短縮、或いは不要とし、また接合操作が容易であるため現場施工を減少させることができるため、施工期間を大幅に短縮することができる。こうして、ハードウエアー部品製造工場建設における重要な要素である、利益確保の最良時期を的確に掌握可能とする。
加えて、当該構造は軽量であるため輸送の利便性が高く、しかも高い防火及び耐震性能をも具える。
【図面の簡単な説明】
【図１】本発明第一実施例であるワッフルスラブ層の上面図である。
【図２】本発明第一実施例であるワッフルスラブ層の側面図である。
【図３】本発明第一実施例であるワッフルスラブ層の立体図である。
【図４】本発明第一実施例であるワッフルスラブ層の底面立体図である。
【図５】本発明第二実施例であるワッフルスラブ層の上面図である。
【図６】本発明第二実施例であるワッフルスラブ層の側面図である。
【図７】本発明第二実施例であるワッフルスラブ層の立体図である。
【図８】本発明第二実施例であるワッフルスラブ層の底面立体図である。
【図９】本発明第三実施例であるワッフルスラブ層の上面図である。
【図１０】本発明第三実施例であるワッフルスラブ層の側面図である。
【図１１】本発明第三実施例であるワッフルスラブ層の立体図である。
【図１２】本発明第三実施例であるワッフルスラブ層の底面立体図である。
【図１３】本発明第四実施例であるワッフルスラブ層の上面図である。
【図１４】本発明第四実施例であるワッフルスラブ層の側面図である。
【図１５】本発明第四実施例であるワッフルスラブ層の立体図である。
【図１６】本発明第実施例であるワッフルスラブ層の底面立体図である。
【図１７】本発明第五実施例であるワッフルスラブ層の上面図である。
【図１８】本発明第五実施例であるワッフルスラブ層の側面図である。
【図１９】本発明第五実施例であるワッフルスラブ層の立体図である。
【図２０】本発明第五実施例であるワッフルスラブ層の底面立体図である。
【図２１】本発明第一実施例であるワッフルスラブ層類似相互体の上面図である。
【図２２】本発明第一実施例であるワッフルスラブ層類似相互体の側面図である。
【図２３】本発明第一実施例であるワッフルスラブ層類似相互体の立体図である。
【図２４】本発明第一実施例であるワッフルスラブ層類似相互体の底面立体図である。
【図２５】本発明第二実施例であるワッフルスラブ層類似相互体の上面図である。
【図２６】本発明第二実施例であるワッフルスラブ層類似相互体の側面図である。
【図２７】本発明第二実施例であるワッフルスラブ層類似相互体の立体図である。
【図２８】本発明第二実施例であるワッフルスラブ層類似相互体の底面立体図である。
【図２９】本発明第五実施例であるワッフルスラブ層類似相互体の上面図である。
【図３０】本発明第五実施例であるワッフルスラブ層類似相互体の側面図である。
【図３１】本発明第五実施例であるワッフルスラブ層類似相互体の立体図である。
【図３２】本発明第五実施例であるワッフルスラブ層類似相互体の底面立体図である。
【符号の説明】
１  プレキャストコンクリート及び、場所打ちコンクリート造柱体
１１  サポート部分
２  方形プレキャストコンクリートワッフルスラブ
２１  切欠部
２２  円形孔
２３  貫通状
３  方形プレキャストコンクリートワッフルスラブ
３１  逆Ｔ型プレキャストコンクリート梁補助部品
３２  貫通孔
３３  円形孔
３４  格子状梁
４  矩形梁状プレキャストコンクリートワッフルスラブ
４１  逆Ｔ型プレキャストコンクリート梁補助部品
４２  棒状部品
４３  錐型強化梁
５  逆Ｕ型梁状プレキャストコンクリートワッフルスラブ
５１  逆Ｔ型プレキャストコンクリート梁補助部品
５２  突起ブロック
５３  方形孔
５４  一方向矩形梁
６  ハーフプレキャスト皿型コンクリートワッフルスラブ
６１  薄板
６２  円形孔
６３  小型円柱体
６４  方形槽
６５  多柱状連結ブロック
７  方形プレキャストコンクリートワッフルスラブ類似相互体
７１  貫通孔
８  方形プレキャストコンクリートワッフルスラブ類似相互体
８１  貫通孔
９  ハーフプレキャスト皿型コンクリートワッフルスラブ類似相互体
９１  貫通孔
【図１】
0004267195.tif 000002
【図２】
0004267195.tif 000003
【図３】
0004267195.tif 000004
【図４】
0004267195.tif 000005
【図５】
0004267195.tif 000006
【図６】
0004267195.tif 000007
【図７】
0004267195.tif 000008
【図８】
0004267195.tif 000009
【図９】
0004267195.tif 000010
【図１０】
0004267195.tif 000011
【図１１】
0004267195.tif 000012
【図１２】
0004267195.tif 000013
【図１３】
0004267195.tif 000014
【図１４】
0004267195.tif 000015
【図１５】
0004267195.tif 000016
【図１６】
0004267195.tif 000017
【図１７】
0004267195.tif 000018
【図１８】
0004267195.tif 000019
【図１９】
0004267195.tif 000020
【図２０】
0004267195.tif 000021
【図２１】
0004267195.tif 000022
【図２２】
0004267195.tif 000023
【図２３】
0004267195.tif 000024
【図２４】
0004267195.tif 000025
【図２５】
0004267195.tif 000026
【図２６】
0004267195.tif 000027
【図２７】
0004267195.tif 000028
【図２８】
0004267195.tif 000029
【図２９】
0004267195.tif 000030
【図３０】
0004267195.tif 000031
【図３１】
0004267195.tif 000032
【図３２】
0004267195.tif 000033